(57)【要約】【課題】  この発明は、ネックレスに備えられたネックレス留具の機構に係わらず、容易にネックレスを脱着できるようにする紐状装飾体留具を提供することを目的とする。【解決手段】  チェーンネックレス１のチェーン部２に取付けた一対の係止パーツ１１を対向させて係止することによって、チェーンネックレス１を輪状にするマグネット留具１０であって、前記係止パーツ１１の対向面に、互いに吸着するマグネット１４と、取付け部分の前記チェーン部２を圧迫拘束する取付シリコン１５とを備え、該取付シリコン１５に、前記チェーン部２の着脱を可能にする切込部１５ｂを備えた。【選択図】    図４
2007044131.tif 000002
【特許請求の範囲】
【請求項１】
紐状装飾体の紐状部に取付けた一対の係止部材を対向させて係止することによって、紐状装飾体を輪状にする紐状装飾体留具であって、
前記係止部材の対向面に、互いに吸着する吸着部と、取付け部分の前記紐状部を圧迫拘束する拘束部とを備え、
該拘束部に、前記紐状部の着脱を可能にする着脱手段を備えた
紐状装飾体留具。
【請求項２】
前記着脱手段に、
前記紐状部の装着を誘導する装着誘導部を備えた
請求項１に記載の紐状装飾体留具。
【請求項３】
前記係止部材の外周の一部に、
前記係止部材の係止状態の解放操作用の突出部を設けた
請求項１又は２に記載の紐状装飾体留具。
【請求項４】
前記各吸着部を対向面に備えた２個の磁石で構成し、
一方の係止部材の前記２個の磁石を、他方の係止部材と対向する側の極性が逆となるように備え、
他方の係止部材の前記２個の磁石を、前記係止部材同士を対向させた際に、一方の前記係止部材の前記磁石に対して対応する位置に、それぞれの前記磁石の極性が逆となるよう備えた
請求項３に記載の紐状装飾体留具。
【請求項５】
前記拘束部を弾力性材で形成した
請求項１から４のうちいずれかに記載の紐状装飾体留具。
【請求項６】
前記弾力性材をシリコンゴムで構成した
請求項５に記載の紐状装飾体留具。
【発明の詳細な説明】
【技術分野】
【０００１】
この発明は、例えば、容易に係止できるような着脱式の紐状装飾体留具に関する。
【背景技術】
【０００２】
従来、紐状装飾体のうち例えばネックレスは、紐状装飾体の両端に取付けられた紐状装飾体留具を首の後側で係止させて輪状にして装着するものが多く、様々な種類が存在する。  
例えば、図１０に示すように、従来の多くのネックレス留具７０は、開閉自在なリング部７１と、穴あきプレート７２とで構成されている。
【０００３】
このネックレス留具７０は、チェーン部分８１の両端のうち一方にリング部７１を、他方に穴あきプレート７２を備え、図１０ａに示すようにリング部７１の開閉フック７１ｃが、内蔵したバネ（図示せず）の付勢力に逆らって矢印Ａ方向にスライド操作されることによって、中空のリング本体７１ａの内部を開閉リング７１ｂがスライドして、リング部７１の開口部７１ｄを開放することができる。
【０００４】
上記開放状態から、開閉リング７１ｂを逆方向にスライドさせて、穴あきプレート７２の取付孔（図示せず）にリング部７１ｂが嵌着されることによって、リング部７１と穴あきプレート７２とが係止し、ネックレス８０が輪状になる。
【０００５】
ネックレス留具７０は、美観を考慮してネックレス８０に対して小型に形成されることが多く、また装着時に首の後ろ側に位置するように形成されることが多い。  
このため、上述した操作でネックレス留具７０を係止する作業は細かな作業となり、しかも首の後ろ側であるため見えない。したがって、ネックレス８０を装着することは困難であった。
【０００６】
そこで、円形端面を有する２個１組の結合部材をネックレス等の両端に備え、一方の前記両端結合部材の円形端面に永久磁石または鉄片を内蔵した凹部と、他方の前記両端結合部材の円形端面に永久磁石を内蔵した凸部とを備え、前記凹部と凸部とを永久磁石の吸着力で吸着させるネックレス等の両端結合具が提案されている（特許文献１参照）。
【０００７】
これにより、細かな作業が不要となり、ネックレスの装着が容易となるとされている。  
しかし、上記両端結合具は、状来のネックレス留具７０の代用としてネックレスに取付けられたものであるため、既存のネックレス留具７０が取付けられたネックレス８０に利用することはできなかった。
【０００８】
また、利用者は、着脱の利便性でネックレス８０を選ぶのではなく、装飾具としての美観性によってネックレス８０を選ぶため、気に入ったネックレス８０に上記両端結合具が備えられていなければ着脱の困難性を受け入れるしかなかった。
【０００９】
【特許文献１】実公昭５４−２８７６号公報
【発明の開示】
【発明が解決しようとする課題】
【００１０】
この発明は、ネックレスに備えられたネックレス留具の機構に係わらず、容易にネックレスを脱着できるようにする紐状装飾体留具を提供することを目的とする。
【課題を解決するための手段】
【００１１】
この発明は、紐状装飾体の紐状部に取付けた一対の係止部材を対向させて係止することによって、紐状装飾体を輪状にする紐状装飾体留具であって、前記係止部材の対向面に、互いに吸着する吸着部と、取付け部分の前記紐状部を圧迫拘束する拘束部とを備え、該拘束部に前記紐状部の着脱を可能にする着脱手段を備えたことを特徴とする。
【００１２】
上記紐状装飾体は、ネックレス、ブレスレット、アンクレット等であることを含む。  
上記紐状部は、チェーン、皮ひも、可撓性ワイヤー等であることを含む。  
上記一対の係止部材は、２個１組で構成された部材であることを指す。  
上記吸着部は、永久磁石同士、又は永久磁石と鉄片等であることを含む。
【００１３】
上記圧迫拘束する拘束部は、取付け部分の前記紐状部の外表面の少なくとも一部を囲繞するとともに、圧迫することで取付け部分の前記紐状部を拘束する弾性材等で形成することを含む。  
上記着脱手段は、前記拘束部に設けた切り込み、貫通孔等で形成することを含む。
【００１４】
上記構成により、紐状装飾体に紐状部に前記係止部材を容易に取付けることができ、取付けた係止部材の吸着力によって容易に前記係止部材を係止することができる。  
したがって、上記紐状装飾体留具によって、係止が困難である通常の留具を有する紐状装飾体であっても、容易に脱着することができる。
【００１５】
また、係止部材は、紐状装飾体の紐状部が着脱可能であり、かつ該紐状部を圧迫拘束するため、紐状部に対する係止部材の取付位置を容易に調整することができる。  
したがって、紐状装飾体の輪状長さを容易に調整することができる。
【００１６】
この発明の態様として、前記着脱手段に、前記紐状部の装着を誘導する装着誘導部を備えることができる。  
上記装着誘導部は、前記着脱手段に備えた面取りで構成することを含む。  
これにより、前記係止部材への前記紐状部の取付けを容易に行うことができる。
【００１７】
また、この発明の態様として、前記係止部材の外周の一部に、前記係止部材の係止状態の解放操作用の突出部を設けることができる。  
上記突出部は、係止部材の本体の一部であって前記吸着部の設けられていない部分に形成すること、および係止部材の外周に備えた凸部で形成すること等を含む。  
これにより、前記突出部に指を掛けて、あるいは、突出部同士を合わせるように挟み込むことで、前記係止部材の係止状態をさらに容易に解放することができる。
【００１８】
また、この発明の態様として、前記各吸着部を対向面に備えた２個の磁石で構成し、一方の係止部材の前記２個の磁石を、他方の係止部材と対向する側の極性が逆となるように備え、他方の係止部材の前記２個の磁石を、前記係止部材同士を対向させた際に、一方の前記係止部材の前記磁石に対して対応する位置に、それぞれの前記磁石の極性が逆となるよう備えることができる。
【００１９】
上記対向する側の極性が逆とは、例えば、２個の磁石のうち一方の磁石の対向面をＮ極とし、他方の磁石をＳ極とすること、あるいは片面多極型の磁石でそれぞれの極性が逆となるように配することを含む。  
また、他方の係止部材の前記２個の磁石を、前記係止部材同士を対向させた際に、一方の前記係止部材の前記磁石に対してそれぞれ対応する位置に極性が逆となるとは、他方の係止部材に備えた２個磁石を、係止部材同士を対向させて係止させた状態において、一方の係止部材の２個の磁石と略同一位置に、それぞれの磁石の対向面の極性を、一方の係止部材に備えた対応する磁石のそれぞれの極性と逆となるように取付けることを含む。
【００２０】
これにより、磁石の異極同士の磁力による吸着力と、同極同士の反発力とによって、係止する係止部材の係止方向を決定するとともに、前記吸着力によって係止部材の係止を誘導することができる。  
したがって、係止部材を、容易に正しい向きで係止することができる。
【００２１】
また、この発明の態様として、前記拘束部を弾力性材で形成することができる。  
上記弾力性材は、天然ゴム、合成ゴム、発泡ウレタン等の弾力性を有する材料であることを含む。
【００２２】
これにより、紐状装飾体の紐状部の取付け部分を、適宜の圧迫力によって拘束することができる。したがって、一定の力以上の引張力で紐状部と係止部材とを引っ張ることによって、係止部材をスライドさせて、紐状部への係止部材の取付け位置を容易に調整することができる。
【００２３】
また、この発明の態様として、前記弾力性材をシリコンゴムで構成することができる。  
シリコンゴムは耐久性および耐候性が高いため、利用者の満足度を向上させることができる。
【発明の効果】
【００２４】
この発明によれば、ネックレスに備えられたネックレス留具の機構に係わらず、容易にネックレスを脱着できる。
【発明を実施するための最良の形態】
【００２５】
この発明の一実施形態を以下図面と共に説明する。
【実施例１】
【００２６】
マグネット留具１０を取付けた状態の既存のチェーンネックレス１の正面図を示す図１とともに、チェーンネックレス１およびマグネット留具１０について説明する。
【００２７】
チェーンネックレス１は、従来例のネックレスと同様に、チェーン部２の両端に、開閉自在なリング部３ａと、穴あきプレート３ｂとで構成する従来のネックレス留具３を備えており、首の後側でリング部３ａと穴あきプレート３ｂとを係止させて装着するものである。  
このようなチェーンネックレス１の両端付近のチェーン部２に、本発明の係止パーツ１１を取付けている。
【００２８】
次に、チェーン部２を取付けた状態の係止パーツ１１の拡大正面図を示す図２、拡大背面図を示す図３、係止状態のマグネット留具１０の拡大側面図を示す図４、係止パーツ１１の水平方向中央付近縦断面図による説明図を示す図５とともにマグネット留具１０および係止パーツ１１について詳述する。  
マグネット留具１０は一対の係止パーツ１１で構成し、係止パーツ１１は本体部１２、装飾部１３、マグネット１４、取付シリコン１５とで構成している。
【００２９】
本実施例において、本体部１２は、指の動きが不自由な人でも扱いやすい適宜の大きさと厚さを有する平面視円形形状であるが、これに限定されず、正方形やひし形等の四角形を含む多角形、楕円、ハート型、星型等の美観性のある平面視形状であってもよい。
【００３０】
また、装飾部１３は、本体部１２の外側面に備えられており、本実施例においては、立体的な装飾を施しているが、平面的な装飾であってもよく、また、本体部１２自体で装飾部１３を構成してもよい。
【００３１】
また、本体部１２の内側面側（係止パーツ１１同士を係止する際の対向面側）には、図３および図４に示すように、本体部１２の外周に沿ったマグネットカバー１２ａを一体に形成して具備している。  
なお、マグネットカバー１２ａは、適宜の肉厚と、後述するマグネットの肉厚と略同一の幅とを有する略２／５円の側面視円弧形状であり、下方中央に適宜の間隔を開けて下方から左右両側に向けて左右対称に備えている。
【００３２】
また、本体部１２の内側面側の側面視幅方向中央に、鉛直方向の取付シリコン１５を具備している。  
上記取付シリコン１５は、前記適宜の間隔と略同一の側面視左右幅と、本体部１２の直径の４／５程度の長さとを有し、下端を本体部１２の側面視中央下端付近にあわせて鉛直方向に配している。  
なお、取付シリコン１５は耐久性、および耐候性の高く、適宜の弾性力を有するシリコンゴムで構成している。
【００３３】
また、この取付シリコン１５には、中央に上下方向に一直線の切込部１５ｂが設けられて、左右対称に形成されている。  
また、取付シリコン１５の切込部１５ｂの対向面側の両角部に縦方向の一直線な面取りが施されており、この面取り部によって平面視Ｖ型の導入部１５ａを形成している。
【００３４】
これにより、図５（ａ）に示すように、チェーン部２を導入部１５ａから本体部１２側に向かって押し込むことにより、図５（ｂ）に示すように、チェーン部２を切込部１５ｂに挿着することができる。したがって、利用者は係止パーツ１１をチェーン部２に容易に取付けることができる。  
これにより、図５（ｃ）に示すように、取付シリコン１５は、取付シリコン１５の弾性力によって、チェーン部２の断面外周を側面視左右方向から挟み込むように圧迫して拘束することができる。
【００３５】
なお、チェーン部２は係止パーツ１１に完全に固定されているわけではないため、利用者は、チェーン部２を適宜の引張力で図３に示す矢印Ｂ方向に引っ張ることにより、チェーン部２が切込部１５ｂ内をスライドし、係止パーツ１１を取付けたまま、チェーン部２に対する係止パーツ１１の取付位置を容易に調整することができる。  
したがって、利用者はチェーン部２に係止パーツ１１を取付けたまま、装着したチェーンネックレス１の長さを容易に調整することができる。
【００３６】
本体部１２の内側面側の左右それぞれのマグネットカバー１２ａと取付シリコン１５との間に、導入部１５ａの幅と略同一の肉厚を有するマグネット１４ａ、１４ｂを備えている。  
これらのマグネット１４ａ、１４ｂは、取付シリコン１５の側面視上端角部と、マグネットカバー１２ａの径内方側両端とを結ぶ２方向の直線と、マグネットカバー１２ａの径内方側側面と略同一な円弧とで構成された略扇形状である。
【００３７】
また、上記マグネット１４ａとマグネット１４ｂとは、それぞれ磁化方向が厚み方向の磁石であり、例えば、マグネット１４ａの対向面（図３中マグネット１４の表面）をＮ極、マグネット１４ｂの対向面をＳ極となるように、マグネット１４ａとマグネット１４ｂとの対向面の極性が異なるように備えている。
【００３８】
この構成により、図５に示すように、係止パーツ１１同士を対向させた際に、一方の係止パーツ１１に備えたマグネット１４ａと、他方の係止パーツ１１に備えたマグネット１４ｂとが対向し、マグネット１４ａとマグネット１４ｂとを互いの磁力によって吸着させ、係止パーツ１１同士を係止することができる。
【００３９】
これにより、それぞれの係止パーツ１１のマグネット１４ａおよびマグネット１４ｂによって、係止パーツ１１の係止方向が決定されるとともに、マグネット１４の磁力によって係止パーツ１１の係止が誘導されるため、利用者は、首の後側で容易にマグネット留具１０を係止してチェーンネックレス１を装着することができる。
【００４０】
また、係止パーツ１１は、図３に示すように、左右のマグネット１４ａ、１４ｂ、および取付シリコン１５との上方の本体部１２の対向面を開放している。  
このため、係止させた状態の係止パーツ１１の対向面側上方（図４中上側）に、係止解除間隙１６を形成することができる。
【００４１】
これにより、係止解除間隙１６に指を掛止して、係止パーツ１１を開くように引っ張ることによって、係止パーツ１１の係止状態を容易に解放することができる。  
したがって、チェーンネックレス１を装着した利用者は、首の後側でマグネット留具１０の係止をさらに容易に解除してチェーンネックレス１を取り外すことができる。
【００４２】
なお、図１に示すように、係止解除間隙１６がチェーン部２のそれぞれのリング部３ａおよび穴あきプレート３ｂ側となるように係止パーツ１１を取付けると、係止解除間隙１６に指を掛止しやすくなり、係止パーツ１１の係止状態をさらに容易に解放することができる。
【００４３】
以上に説明した実施形態により、わずらわしかった従来のネックレス留具３の係止動作をせずとも、首の後側で容易にマグネット留具１０を係止してチェーンネックレス１を装着することができるため、利用者の満足度を向上することができる。
【００４４】
また、弾性力を有するシリコンで取付シリコン１５を形成しているため、取付シリコン１５ｃにチェーン部２を挿着した状態のまま、係止パーツ１１をスライド移動することができ、その移動位置で取付シリコン１５がチェーン部２を圧迫拘束して係止パーツ１１の位置決めをすることができる。したがってチェーンネックレス１の長さを容易に調整することができる。
【００４５】
また、長さの調整のできない既存のチェーンネックレス１であっても、自由に長さを調整でき、新たなファッション性を見出すことができる。  
また、弾性力を有するシリコンで取付シリコン１５を形成しているため、断面径が異なるチェーン部２や、１本の中で断面径が変化するチェーン部２であっても対応することができる。
【００４６】
また、切込部１５ｂの対向面側の両角部に施された面取り部によって平面視Ｖ型の導入部１５ａを形成したことによって、導入部１５ａに誘導されてチェーン部２を切込部１５ｂに容易に取り付けることができる。したがって、細やかな作業が困難となった年配の方であっても、容易に係止パーツ１１を既存のチェーンネックレス１のチェーン部２に取り付けてチェーンネックレス１を装着することができる。
【００４７】
さらに、首の後側でマグネット留具１０の係止をさらに容易に解除してチェーンネックレス１を取り外すことができるため、チェーンネックレス１を装着した利用者は、満足度をさらに向上することができる。
【００４８】
また、マグネットカバー１２ａでマグネット１４の側面をカバーしているため、係止パーツ１１の装飾性を高めることができ、したがって、チェーンネックレス１の装飾性を損なうことなく、さらに新たなファッション性をマグネット留具１０によって付加することができる。
【００４９】
なお、取付シリコン１５の正面側（本体部１２の裏面との対向側）の両角部に縦方向の一直線な面取りを施し、この正面側面取り部によって底面視Ｖ型のチェーン挿着部１５ｃが形成してもよい。  
これにより、切込部１５ｂに挿着されるチェーン部２をこのチェーン挿着部１５ｃに挿着することができるため、より挿着の容易性を高めることができる。
【００５０】
また、このチェーン挿着部１５ｃを、チェーン部２の断面外周の大きさよりわずかに小さな大きさに形成すれば、チェーン挿着部１５ｃに装着されたチェーン部２の拘束力を高めることができる。
【実施例２】
【００５１】
次に、第２の実施形態の係止パーツ１１の拡大背面図を示す図６、係止状態のマグネット留具１０の鉛直方向中央付近縦断面図を示す図７とともに第２の実施形態のマグネット留具１０および係止パーツ１１について詳述する。  
第２の実施例における本体部１２、および装飾部１３は、第１の実施例のマグネットカバー１２ａを具備しない本体部１２、および装飾部１３と同様である。
【００５２】
本体部１２の内側面（係止パーツ１１同士を係止する際の対向面側）には、図６に示すように、本体部１２の外周と略同一サイズの外周を有する円弧形状の円弧円弧型マグネット１４ｃ、１４ｄを、適宜の間隔を開けて下方から左右両側に向けて左右対称に備えている。  
この円弧型マグネット１４ｃ、１４ｄは本体部１２の１／３程度の周長と本体部１２の半径の１／３程度の幅を有する円弧形状であり、上記円弧型マグネット１４ｃと円弧型マグネット１４ｄとの対向面の極性は、実施例１と同様に異なるように備えている。
【００５３】
左右の円弧型マグネット１４ｃ、１４ｄの径内方側には、適宜の弾性力を有するシリコンゴムで構成する取付シリコン１５を備えている。  
この取付シリコン１５は、全体が円弧型マグネット１４ｃ、１４ｄの内周面に沿うような平面視小判形状で形成され、中央に上下方向に一直線の切込部１５ｅが設けられて、左右対称に形成されている。
【００５４】
取付シリコン１５は切込部１５ｅの対向面側および反対向面側（本体部１２側）のそれぞれの両角部に縦方向に一直線な面取りを施しており、この面取り部によって平面視Ｖ型の導入部１５ｄ、および底面視Ｖ型のチェーン挿着部１５ｆを形成している。このチェーン挿着部１５ｆはチェーン部２の断面外周の大きさよりわずかに小さな大きさに形成されている。
【００５５】
また、図７に示すように、取付シリコン１５の肉厚を円弧型マグネット１４ｃ、１４ｄの肉厚より厚く形成しているため、マグネット１４の内側面側表面は取付シリコン１５の内側面側表面より突出する様態となる。
【００５６】
また、係止パーツ１１は、図７に示すように、左右の円弧型マグネット１４ｃ、１４ｄ、および取付シリコン１５との上方の本体部１２の対向面を開放して、係止させた状態の係止パーツ１１の対向面側上方（図４中上側）に、係止解除間隙１６を形成している。
【００５７】
上記構成により、利用者は首の後側で容易にマグネット留具１０を係止してチェーンネックレス１を装着すること、装着したチェーンネックレス１の長さを容易に調整すること、および首の後側でマグネット留具１０の係止を容易に解除してチェーンネックレス１を取り外すこと等の実施例１と同様の効果を得ることができる。
【００５８】
さらに、取付シリコン１５の肉厚を円弧型マグネット１４ｃ、１４ｄの肉厚より厚く形成したことによって、係止パーツ１１を係止した際に、円弧型マグネット１４ｃ、１４ｄの前記対向面同士が密着することを防止することができ、円弧型マグネット１４ｃ、１４ｄの磁力による係止パーツ１１の係止状態を容易に解放することができる。
【００５９】
また、取付シリコン１５の弾性力に比べて円弧型マグネット１４ｃ、１４ｄの磁力が強く、円弧型マグネット１４ｃ、１４ｄの対向面同士が密着した場合であっても、取付シリコン１５を圧縮しているため、取付シリコン１５の反発力によって、円弧型マグネット１４ｃ、１４ｄの磁力による係止パーツ１１の係止状態を容易に解放することができる。
【実施例３】
【００６０】
次に、第３の実施形態の係止パーツ１１の拡大背面図を示す図８、係止状態のマグネット留具１０の水平方向中央付近縦断面図を示す図９とともに第３の実施形態のマグネット留具１０および係止パーツ１１について詳述する。
【００６１】
第３の実施例における本体部１２、装飾部１３、および取付シリコン１５は、第１の実施例のマグネットカバー１２ａを具備しない本体部１２、装飾部１３、および取付シリコン１５と同様である。
【００６２】
本体部１２の内側面側には、本体部１２の外周円と同一径の約４／５円の円弧を有する側面視下向きに凸な逆ドーム形状の台座部１２ｂを具備している。  
なお、台座部１２ｂは、側面視幅方向中央に、前記取付シリコン１５を装着する装着溝１２ｃを鉛直方向に有し、台座部１２ｂの前記円弧と本体部１２の外周円とを一致させて、前記装着溝１２ｃを挟んで左右対称に配している。また、台座部１２ｂは、本体部１２と一体に形成している。
【００６３】
また、本体部１２の対向面側表面には、マグネットの対向面側表面の半分にＳ極と、他方の半分にＮ極との両方を有する角型マグネット１４ｅ、１４ｆとを備え、角型マグネット１４ｅ、１４ｆのそれぞれの極性が、装着溝１２ｃを挟んで左右非対称となるように、側面視上下方向が逆となるように貼り付けている。詳述すると、例えば図８に示すように、係止パーツ１１の側面視左側の角型マグネット１４ｅの上側がＮ極となるのに対して、右側の角型マグネット１４ｆの上側がＳ極となるように配している。
【００６４】
上記構成により、角型マグネット１４ｅ、１４ｆのそれぞれの異極性間の吸着力によって、係止パーツ１１の係止方向が決定されるとともに、上記吸着力により、上記係止が誘導されるため、利用者は首の後で係止パーツ１１の係止を容易にすることができる。
【００６５】
なお、角型マグネット１４ｅ、１４ｆを、平面視長方形の対向面側表面に少なくとも複数組の極性を有し、磁化方向が奥行き方向（図９中上下方向）つまり係止パーツ１１同士を対向させて吸着させる吸着方向であり、柔軟性および加工性の高いマグネットシートで構成した場合、所望の形状への加工が容易であるとともに、本体部１２の対向面側に貼付けによって取付けることができるため、係止パーツ１１の製造時間および製造コストを大幅に低減することができる。
【００６６】
また、角型マグネット１４ｅ、１４ｆを、磁化方向が前記奥行き方向に対して直角方向、つまり前記吸着方向に対して直角方向である本体部１２の対向面に平行な方向である角型のフェライト磁石で構成した場合、台座部１２ｂ表面に、側面視長方形の適宜の深さを有する取付凹部を備え、該取付凹部に前記角型マグネット１４ｅ、１４ｆを貼付けによって装着すればよい。
【００６７】
この場合、一般的に流通量の多い角型のフェライト磁石を用いることができるため、係止パーツ１１の製造コストをさらに削減することができ、また、該取付凹部に前記角型マグネット１４ｅ、１４ｆを貼付けによって装着するため、前記角型マグネット１４ｅ、１４ｆの貼付け位置の調整等の手間もなく、係止パーツ１１の製造時間をさらに低減することができる。
【００６８】
この発明の構成と、上述の実施形態との対応において、
この発明の紐状装飾体は、チェーンネックレス１に対応し、
以下同様に、
紐状部は、チェーン部２に対応し、
係止部材は、係止パーツ１１に対応し、
紐状装飾体留具は、マグネット留具１０に対応し、
吸着部は、マグネット１４、１４ａ、１４ｂ、円弧型マグネット１４ｃ、円弧型マグネット１４ｄ、角型マグネット１４ｅ、および角型マグネット１４ｆに対応し、
拘束部は、取付シリコン１５に対応し、
装着誘導部は、導入部１５ａおよび導入部１５ｄに対応し、
着脱手段は、切込部１５ｂおよび切込部１５ｅに対応するも、
この発明は、上述の実施形態の構成のみに限定されるものではなく、多くの実施の形態を得ることができる。
【図面の簡単な説明】
【００６９】
【図１】マグネット留具を取付けたネックレスの正面図。
【図２】取付状態の係止パーツの拡大正面図。
【図３】取付状態の係止パーツの拡大背面図。
【図４】係止状態のマグネット留具の拡大側面図。
【図５】係止パーツ１１の水平方向中央付近縦断面図による説明図
【図６】第２の実施形態の係止パーツ１１の拡大背面図。
【図７】第２の実施形態の係止状態のマグネット留具１０の鉛直方向中央付近縦断面図。
【図８】第３の実施形態の係止パーツ１１の拡大背面図。
【図９】第３の実施形態の係止状態のマグネット留具１０の水平方向中央付近縦断面図。
【図１０】従来のネックレス留具を有するネックレスの正面図。
【符号の説明】
【００７０】
１…チェーンネックレス
２…チェーン部
１０…マグネット留具
１１…係止パーツ
１４、１４ａ、１４ｂ…マグネット
１４ｃ、１４ｄ…円弧型マグネット
１４ｅ、１４ｆ…角型マグネット
１５…取付シリコン
１５ａ、１５ｄ…導入部
１５ｂ、１５ｅ…切込部
【図１】
2007044131.tif 000003
【図２】
2007044131.tif 000004
【図３】
2007044131.tif 000005
【図４】
2007044131.tif 000006
【図５】
2007044131.tif 000007
【図６】
2007044131.tif 000008
【図７】
2007044131.tif 000009
【図８】
2007044131.tif 000010
【図９】
2007044131.tif 000011
【図１０】
2007044131.tif 000012